(57)【要約】【課題】透明板保持枠における透視窓の下縁と該透明板保持枠の下縁との間隔部位を強度的に強くし、無用な変形を起こさせないようにした弾球遊技機を提供する。【解決手段】遊技機本体Ｐ１の前面に回動自在に装着され該遊技機本体Ｐ１に配設した遊技盤３の前面を覆う透明板保持枠４と、透明板保持枠４の裏側に取着され該透明板保持枠４の透視窓１３を塞ぐ透明板ユニット３０とを備えてなる弾球遊技機Ｐであって、前記透明板保持枠４裏面における透視窓１３の下縁と該透明板保持枠４の下縁との間隔部位１７に線材からなり且つ透明板保持枠４裏面に向き合った状態で左右方向に延びる支持部材１８を配置すると共にその両端部を固着し、該支持部材１８には水平方向に屈曲して透明板ユニット３０の下端面を受け止める受止部２２が設けられる。【選択図】図４
2007313014.tif 000002
【特許請求の範囲】
【請求項１】
遊技機本体の前面に回動自在に装着され該遊技機本体に配設した遊技盤の前面を覆う透明板保持枠と、前記透明板保持枠の裏側に取着され該透明板保持枠の透視窓を塞ぐ透明板ユニットとを備えてなる弾球遊技機であって、
前記透明板保持枠裏面における前記透視窓の下縁と該透明板保持枠の下縁との間隔部位に線材からなり且つ前記透明板保持枠裏面に向き合った状態で左右方向に延びる支持部材を配置すると共にその両端部を固着し、該支持部材には水平方向に屈曲して前記透明板ユニットの下端面を受け止める受止部が設けられることを特徴とする弾球遊技機。
【請求項２】
前記透明板ユニットの下端面に下方へ突出する突条部を設け、前記透明板保持枠の裏面に前記透明板ユニットを取着した状態で、前記突条部が前記透明板保持枠裏面と前記支持部材の受止部との間に成形された挿入空間に挿入されるようにした請求項１記載の弾球遊技機。
【発明の詳細な説明】
【技術分野】
【０００１】
本発明は、遊技機本体の前面に回動自在に装着され遊技盤の前面を覆う透明板保持枠と該透明板保持枠の裏側に取着される透明板ユニットとを備えてなる弾球遊技機に関するものである。
【背景技術】
【０００２】
従来、弾球遊技機の一種であるパチンコ遊技機は、例えば遊技機本体の前面に回動自在に装着され該遊技機本体に配設した遊技盤の前面を覆う合成樹脂製の透明板保持枠と、該透明板保持枠の裏側に取着され該透明板保持枠の透視窓を塞ぐ透明板ユニットとを備えている（例えば、特許文献１参照。）。
【特許文献１】特開２００３−２２０２５０号公報（第４頁、図１）
【発明の開示】
【発明が解決しようとする課題】
【０００３】
ところで、従前から、遊技盤の中央部に可変表示装置を配置し、入賞球の発生により前記可変表示装置の表示部に各種情報を変動表示するようにし、その表示部の停止した情報が例えば「７７７」という特別な情報に揃ったとき、遊技者に有利な所謂大当り状態となり、一定の条件の下で大入賞口が一定時間の間且つ所定回数開き、一度に多くの賞球が得られるようにしたパチンコ遊技機が人気を博している。そして、最近は前記可変表示装置や遊技盤が大型化する傾向にあり、これに伴い透明板保持枠と共にその透視窓も遊技盤の広い遊技部に合わせて広くなっている。
【０００４】
しかしながら、透明板保持枠全体の大きさは下方に広げられるものの、このように遊技盤の広がりと共に透視窓を大きく広げると、前記透明板保持枠における透視窓の下縁と該透明板保持枠の下縁との間隔部位が非常に狭くなり、しかも比較的重い透明板ユニットの重量が掛ることから、該間隔部位が強度的に弱くなり変形するおそれが生ずるばかりか、前記可変表示装置や遊技盤の大型化という要請に応えられなくなるという課題があった。
【０００５】
そこで、本発明は上記課題を解決すべくなされたもので、透明板保持枠裏面における透視窓の下縁と該透明板保持枠の下縁との間隔部位を強度的に強くし、無用な変形を起こさせないようにした弾球遊技機を提供することを目的とするものである。
【課題を解決するための手段】
【０００６】
かかる目的を達成するため本発明の弾球遊技機は、遊技機本体の前面に回動自在に装着され該遊技機本体に配設した遊技盤の前面を覆う透明板保持枠と、前記透明板保持枠の裏側に取着され該透明板保持枠の透視窓を塞ぐ透明板ユニットとを備えてなる弾球遊技機であって、前記透明板保持枠裏面における前記透視窓の下縁と該透明板保持枠の下縁との間隔部位に線材からなり且つ前記透明板保持枠裏面に向き合った状態で左右方向に延びる支持部材を配置すると共にその両端部を固着し、該支持部材には水平方向に屈曲して前記透明板ユニットの下端面を受け止める受止部が設けられる構成とした。
【０００７】
この際、前記透明板ユニットの下端面に下方へ突出する突条部を設け、透明板保持枠の裏面に透明板ユニットを取着した状態で、前記突条部が透明板保持枠裏面と支持部材の受止部との間に成形された挿入空間に挿入されることが好ましい。
【発明の効果】
【０００８】
本発明に係る弾球遊技機は、透明板保持枠裏面における透視窓の下縁と該透明板保持枠の下縁との間隔部位に、線材からなり且つ透明板保持枠裏面に向き合った状態で左右方向に延びる支持部材を配置すると共にその両端部を固着し、該支持部材には、水平方向に屈曲して透明板ユニットの下端面を受け止める受止部を設けるようにしたので、前記間隔部位は強度的に頑強になって透明板ユニットの荷重が加わっても変形するおそれがなく、前記可変表示装置や遊技盤の大型化という要請にも十分に応えられるという効果がある。
【０００９】
また、透明板ユニットの下端面に下方へ突出する突条部を設け、透明板保持枠の裏面に透明板ユニットを取着した状態で、前記突条部が透明板保持枠裏面と支持部材の受止部との間に成形された挿入空間に挿入するようにすれば、特に透明板保持枠の間隔部位では、透明板ユニットが透明板保持枠と離れることなく一体に重ね合わされる。よって、例えば透明板保持枠の下縁を前方強く引出して生じた隙間から遊技盤面に針金やセル板といった不正具を侵入させ故意に入賞球を発生させるという不正行為を未然に防止できるという効果もある。
【発明を実施するための最良の形態】
【００１０】
以下、本発明に係る弾球遊技機の実施の形態を図面に基づき説明する。なお、弾球遊技機には、例えば、パチンコ遊技機、アレンジボール機、雀球遊技機があるが、本発明にあっては、その一例としてパチンコ遊技機について説明する。図１は本発明に係るパチンコ遊技機の正面図である。
【００１１】
パチンコ遊技機Ｐは、外側に縦長長方形状の外枠１を有し、その前面に内枠２がその一側を支点として開閉自在に装着され、該内枠２に遊技盤３が設置される。また、該内枠２の前面には、その上部に前記遊技盤３の前面を覆う透明板保持枠４が開閉自在に装着され、その下方に打球発射部（図示せず。）へ供給される打球としての遊技球を貯留する球皿５が設けられた前板６が装着されている。この前板６は内枠２の前面に固着されるが、開閉自在に装着するようにしても良い。また、前板６の前面に前記球皿５の一側に位置して打球の発射力を調整するための操作ハンドル７が装着され、他側に位置して灰皿８が装着される。この場合、前記外枠１と内枠２とを合わせて遊技機本体Ｐ１が構成されるものとする。
【００１２】
前記遊技盤３の前面に、略渦巻状に敷設された内側・外側ガイドレール９ａ，９ｂに囲われて遊技部３ａが成形され、該遊技部３ａにはその中央に位置して数字、図柄等の情報を変動表示する可変表示装置１０、遊技球の入賞によって前記情報を変動させる始動入賞口１１が装着される。また、その下方に、前記可変表示装置１０の情報が特定の表示（例えば、「７７７」）に揃ったとき、一定の条件の下で一度に多くの賞球としての遊技球が得られる入賞装置１２が装着されている。
【００１３】
一方、前記透明板保持枠４は縦長長方形状に成形され、図２乃至図３に示すように中央に前記遊技盤３前面の遊技部３ａが臨む透視窓１３が開設される。この透視窓１３には裏面に後記する透明板ユニット３０が装着される。前記透明板保持枠４は、その本体をなす保持枠本体板１４とその裏面に重合されほぼ同じ形状に成形される薄い補助金属板１５とからなる。
【００１４】
前記保持枠本体板１４は、合成樹脂材により成形され、その前面が所望形状に湾曲すると共に外周縁全体と透視窓１３の外周縁全体にそれぞれ後方へ突出する囲い枠片１６ａ，１６ｂが設けられる。透視窓１３は正面から見てやや縦長の半円形状であって下縁１３ａが平坦な水平線状をなし、透視窓１３の下縁１３ａと保持枠本体板１４の下縁１４ａとの間の間隔部位１７は上下幅の狭い細幅板状に成形されている。そして、該間隔部位１７の裏面に本発明に係る支持部材１８が設けられる。
【００１５】
支持部材１８は、金属製であって弾性を有する線材からなり、図３、図４に示すように透明板保持枠４裏面に向き合った状態で左右方向に延び、その両端に平坦部１９，１９が設けられる。各平坦部１９に螺子挿通孔２０が開設されると共にその一側に位置決め孔２１が開設される。また、支持部材１８の中央部には該支持部材１８を前記間隔部位１７に固着したとき、水平方向に屈曲する受止部２２が設けられる。該受止部２２は、両側部２２ａ，２２ａを後方へ屈曲させ、その中間部２２ｂが透明板保持枠４の裏面と平行となるようになっており、該中間部２２ｂと透明板保持枠４の裏面との間に挿入空間２３が成形される。
【００１６】
保持枠本体板１４の間隔部位１７には、図３に示すように両端側の平坦部１９，１９が嵌り込む取付凹部２４，２４が凹設され、該各取付凹部２４奥底面には前記螺子挿通孔２０と合致する螺子孔２５と前記位置決め孔２１に挿入する位置決めピン２６が突設される。そして、支持部材１８を間隔部位１７の裏面に配置し、両端の平坦部１９，１９を取付凹部２４，２４に入れると共に各位置決めピン２６を位置決め孔２１に挿入する。次に、各螺子挿通孔２０を介して各螺子孔２５に螺子２７を螺締することにより、支持部材１８が固着される。前記受止部２２は水平面内で後方へ張り出し、これによって透明板ユニット３０の下端面を受け止める。
【００１７】
また、保持枠本体板１４の裏面であって、前記透視窓１３の外周縁の複数個所（図３を見てその右側の上下部と左側の上下部のそれぞれ４個所）に支軸２８により軸着され保持枠本体板１４の裏面と平行な面内で回動し得る係止部材２９が設けられる。これらは透明板ユニット３０を透明板保持枠４の裏面に固定するためのものである。
【００１８】
前記補助金属板１５は、保持枠本体板１４の裏面に重合するように該保持枠本体板１４とほぼ同じ形状に成形され、前記支持部材１８や係止部材２９が当たる部位を除き該保持枠本体板１４のほぼ裏面全体を覆うようになっている。また、補助金属板１５の上縁と両側縁には曲げ代１５ａが設けられているが、下縁には設けられていない。
【００１９】
透明板ユニット３０は前記透視窓１３にほぼ合致する大きさ・形状を有し、環状枠３１の前後面にそれぞれガラスまたは合成樹脂製の透明板３２，３２を内部が密閉されるように貼り合わせて成形される。環状枠３１の外周縁に、前記各係止部材２９に対応位置して取付片３３が一体に突設される。また、環状枠３１の平坦な下面には、前記支持部材１８により成形された挿入空間２３に挿入される突状部３４が設けられている。
【００２０】
そして、透明板保持枠４の裏面に透明板ユニット３０を配置し、図５に示すように該透明板ユニット３０の突条部３４を挿入空間２３に上から挿入すると共に下端面を支持部材１８の受止部２２により支持する。この状態で、各係止部材２９を支軸２８を中心として回動させ各取付片３３に係止させる。これにより、透明板ユニット３０が透明板保持枠４の裏面にしっかりと取着される。
【００２１】
前記透明板保持枠４前面の一側下縁部、すなわち図１のパチンコ遊技機Ｐを正面から見て左下部にポケット部材３５が装着される。該ポケット部材３５は、台間球貸機に設けたノズル（図示せず。）の先端から排出される貸球としての遊技球を、球皿５に落下させる前に一旦受け止めて零れることなく球皿５に貯留できるようにするためのものである。該ポケット部材３５は、上面が開放した皿状に成形され、底部に球皿５に遊技球を落下させるための球落下口４０が開設されている。よって、ポケット部材３５は前記ノズルの先端と球皿５と間の高さ位置に配置されることになる。
【００２２】
このように、本発明は透明板保持枠４裏面における透視窓１３の下縁１３ａと該透明板保持枠４の下縁１４ａとの間隔部位１７に、線材からなる支持部材１８を配置して固着し、該支持部材１８には、水平方向に屈曲して透明板ユニット３０の下端面を受け止める受止部２２を設けるようにしたので、前記間隔部位１７は強度的に頑強になって透明板ユニット３０の荷重が掛かっても変形するおそれがなく、前記可変表示装置１０や遊技盤３の大型化という要請にも十分に応えられる。
【００２３】
また、透明板保持枠４の裏面に透明板ユニット３０を取着した状態で、該透明板ユニット３０下端面の突条部３４を透明板保持枠４と線材からなる支持部材１８の受止部２２との間の挿入空間２３に挿入するようにしている。よって、保持枠本体板１４すなわち透明板保持枠４の間隔部位１７では、透明板ユニット３０が透明板保持枠４と離れることなく一体に重ね合わされる。そこで、例えば透明板保持枠４の下縁を前方へ強く引出しその隙間から遊技盤３面に針金やセル板といった不正具を侵入させ故意に入賞球を発生させるという不正行為が行なわれることがあっても、前記透明板保持枠４の下縁は支持部材１８により補強されしかも透明板ユニット３０が介在するのでほとんど前後方向には撓むことがない。これにより、前記不正行為が未然に防止できる。
【００２４】
更に、透明板ユニット３０下端面に突条部３４を設け、該突条部３４を透明板ユニット３０と線材からなる支持部材１８の受止部２２との間の挿入空間２３に挿入するようにしたが、逆に、前記透明板ユニット３０下端面に凹窪部（図示せず。）を設け、前記支持部材１８の受止部２２に上方を向き該凹窪部に下から嵌入する突起部（図示せず。）を設けるようにしても良い。
【図面の簡単な説明】
【００２５】
【図１】本発明に係るパチンコ遊技機の正面図。
【図２】透明板保持枠の表から見た斜視図。
【図３】透明板保持枠の裏から見た分解斜視図。
【図４】保持枠本体板の裏から見た要部の斜視図。
【図５】透明板保持枠の要部の側面断面図。
【符号の説明】
【００２６】
３                      遊技盤
４                      透明板保持枠
１３                    透視窓
１７                    間隔部位
１８                    支持部材
２２                    受止部
３０                    透明板ユニット
Ｐ                      弾球遊技機（パチンコ遊技機）
Ｐ１                    遊技機本体
【図１】
2007313014.tif 000003
【図２】
2007313014.tif 000004
【図３】
2007313014.tif 000005
【図４】
2007313014.tif 000006
【図５】
2007313014.tif 000007